(57)【要約】【課題】常時、指にアクセサリーとして嵌めておくことができ、指のサイズにも対応が可能で構成も簡単な静電気除去用フィンガーバンドとする。【解決手段】指に嵌めるバンドであり、バンド本体１を円周方向に伸縮性を有する織地に構成する。バンド本体１の全部又は一部に導電性繊維２を使用する。バンド本体１に刺繍３を施す。刺繍３の全部又は一部に導電性繊維２を使用する。【選択図】図２
0003098617.tif 000002
【実用新案登録請求の範囲】
【請求項１】
指に嵌めるバンドであり、このバンド本体は円周方向に伸縮性を有する織地に構成され、バンド本体の全部又は一部に導電性繊維が使用されていることを特徴とする静電気除去用フィンガーバンド。
【請求項２】
バンド本体に刺繍が施され、刺繍の全部又は一部に導電性繊維が使用されていることを特徴とする請求項１記載の静電気除去用フィンガーバンド。
【請求項３】
指に嵌めるバンドであり、このバンド本体は円周方向に伸縮性を有する織地に構成されると共に、バンド本体に刺繍が施され、バンド本体の全部又は一部、或いは刺繍の全部又は一部に導電性繊維が使用されていることを特徴とする静電気除去用フィンガーバンド。
【請求項４】
バンド本体が筒形又は環形に形成されていることを特徴とする請求項１、２又は３記載の静電気除去用フィンガーバンド。
【考案の詳細な説明】
【０００１】
【考案の属する技術分野】
本考案は、常時アクセサリーとして指に嵌め、人体に帯電する静電気に対処する静電気除去用フィンガーバンドに関するものである。
【０００２】
【従来の技術】
従来、静電気を除去することのできる指輪として、実開平５−４５９９７号公報に示されるように、指輪の表面に絶縁して対物接点を設け、これと電気的に接続する抵抗器及びショックアブソーバを指輪に内蔵装備し、その終端を使用者の指と接触する電動体に接続した静電気放電指輪、或いは特開平１０−４６００１号公報に示されるように、合成樹脂組成物を材料とした合成樹脂製の指輪が提案されている。
【０００３】
又、実用新案登録第３０９３５１８号公報に示されるように、有機導電性繊維を使用したニット品として、リング・リストバンド・靴下・サポーター等が提案されている。
【０００４】
【考案が解決しようとする課題】
日常生活において、例えば自動車に乗った時等着用している絶縁性の衣服がシート地等との摩擦により帯電し、下車の際、導電体に触れてショックを受けることがある。
又、合成繊維製の肌着、衣服では静電気を発生するものもあり、引火、吸着、吸塵等のトラブルの原因ともなっている。
【０００５】
そこで、上記従来のような技術が提案されているが、実開平５−４５９９７号の公報のものは構造が複雑でコストも高くなる。
又、特開平１０−４６００１号公報のものは指のサイズに対応が不可能で、種々のサイズのものを揃えなければならない不便があると共に、ファッション性に劣るものである。
又、実用新案登録第３０９３５１８号公報のものは日常生活において常時携帯するには不便である。
【０００６】
上記点より本考案は、常時指にアクセサリーとして嵌めておくことができ、指のサイズにも対応が可能で、構成も簡単な静電気除去用フィンガーバンドを提供しようとするものである。
【０００７】
【課題を解決するための手段】
上記課題を解決するため請求項１記載の本考案静電気除去用フィンガーバンドは、指に嵌めるバンドであり、このバンド本体は円周方向に伸縮性を有する織地に構成され、バンド本体の全部又は一部に導電性繊維が使用されていることを特徴とするものである。
【０００８】
このような構成とすることにより、バンドを指に嵌めておけば、バンド本体に使用した導電性繊維により、指先が導体に触れる前に導電性繊維が接近して人体に帯電した静電気を放電するか、アースされて静電気を逃がすことにより除去し、他の導体と接触するとき生ずる恐れのあるスパークやショックを防止できる。　又、バンド本体は円周方向に伸縮性を有する織地に構成されているため、種々のサイズの指に対応が可能になると共に織地であるためカラフルなものにでき、アクセサリーとして常時指に嵌めておける。
【０００９】
次に、請求項２記載の本考案静電気除去用フィンガーバンドは、請求項１の静電気除去用フィンガーバンドにおいて、バンド本体に刺繍が施され、刺繍の全部又は一部に導電性繊維が使用されていることを特徴とするものである。
【００１０】
このような構成とすることにより、刺繍により装飾性に優れたバンドとなる。そして、バンド本体及び刺繍に使用した導電性繊維により、人体に帯電した静電気を請求項１と同様に除去する。
【００１１】
次に、請求項３記載の本考案静電気除去用フィンガーバンドは、指に嵌めるバンドであり、このバンド本体は円周方向に伸縮性を有する織地に構成されると共に、バンド本体に刺繍が施され、バンド本体の全部又は一部、或いは刺繍の全部又は一部に導電性繊維が使用されていることを特徴とするものである。
【００１２】
このような構成とすることにより、バンド本体に使用した導電性繊維又は刺繍に使用した導電性繊維により、人体に帯電した静電気を前同様に除去する。
又、バンド本体が円周方向に伸縮性を有する織地に構成されていること、及びバンド本体に刺繍をしたことによる機能は前同様である。
【００１３】
次に、請求項４記載の本考案静電気除去用フィンガーバンドは、請求項１、２又は３記載の静電気除去用フィンガーバンドにおいて、バンド本体が筒形又は環形に形成されていることを特徴とするものである。
【００１４】
このような構成とすることにより、指に簡単に着脱することができる。
【００１５】
【考案の実施の形態】
以下、本考案の一実施の形態を図面に基づき説明する。
図１乃至図５は本考案静電気除去用フィンガーバンドの一実施の形態を示す斜視図である。
本考案静電気除去用フィンガーバンドは、織糸で織地に織成され、両端部を縫い糸で連結し、筒形又は環形に形成されたバンドであり、指に嵌めて使用するものである。
【００１６】
図１乃至図４において、図中１は筒形のバンド本体であり、このバンド本体１は円周方向の織糸は伸縮性を有する糸を使用し、バンド本体１が円周方向に伸縮可能となっている。
織糸又は縫い糸４として導電性繊維２を使用している。この導電性繊維２はアクリル繊維又はナイロン繊維に硫化銅を化学結合させた有機導電性繊維である。
【００１７】
バンド本体１は全部の織糸を導電性繊維２としてもよく（図１）、又一部の織糸或いは縫い糸４を導電性繊維２としてもよい。
全部の織糸を導電性繊維２とした場合は、円周方向の織糸は伸縮性を有する導電性繊維２が使用される。
【００１８】
又、全部又は一部の糸に導電性繊維２を使用したバンド本体１に刺繍３を施すこともできる。
この刺繍３の刺繍糸は全部に導電性繊維２を使用してもよく（図２）、又、一部に導電性繊維２を使用してもよい。
【００１９】
そして、刺繍３はバンド本体１の織地の色と異なる色とすると目立って、アクセサリーとして好適なものとなる。刺繍３は文字、図柄、その他の模様等が表される。
【００２０】
バンド本体１に刺繍３を施した場合、バンド本体１の全部又は一部に導電性繊維２を使用し、刺繍３は導電性を有しない通常の刺繍糸を使用することもできる（図３）。
又、逆にバンド本体１を導電性を有しない織糸で織成し、刺繍３の全部又は一部に導電性繊維２を使用することもできる（図４）。
【００２１】
尚、図５はバンド本体１を環形にし、刺繍３を施した場合を示し、導電性繊維２はバンド本体１に使用し、刺繍３には使用していない。
勿論、導電性繊維２をバンド本体１と刺繍３の両方に使用することもでき、又導電性繊維２を刺繍３のみに使用することもでき、更に刺繍３のないバンド本体１に導電性繊維２を使用したものとしても良いことは筒形の場合と同様である。
【００２２】
以上、本考案を実施形態に基づき具体的に説明したが、本考案は上記実施形態に限定されるものではない。
【００２３】
【考案の効果】
本考案に係る静電気除去用フィンガーバンドによれば、フィンガーバンドを指に嵌めておけば、導電性繊維により人体に帯電した静電気を容易に除去できると共に、バンド本体が筒形又は環形の織地であるため指に嵌め易く、常時アクセサリーとして気軽に嵌めておくことができる。
又、バンド本体は織地であるためカラフルなデザインが可能となる。更に、バンド本体は円周方向に伸縮性を有するため、種々のサイズの指に対応が可能であり、金属製、合成樹脂製の静電気除去用の指輪のように種々のサイズを揃える必要がない。又、構成も簡単でコストも安価になる等、効果の多い有用な考案である。
【図面の簡単な説明】
【図１】本考案静電気除去用フィンガーバンドの一実施形態を示す斜視図である。
【図２】本考案静電気除去用フィンガーバンドの一実施形態を示す斜視図である。
【図３】本考案静電気除去用フィンガーバンドの一実施形態を示す斜視図である。
【図４】本考案静電気除去用フィンガーバンドの一実施形態を示す斜視図である。
【図５】本考案静電気除去用フィンガーバンドの一実施形態を示す斜視図である。
【符号の説明】
１　バンド本体
２　導電性繊維
３　刺繍
４　縫い糸
【図１】
0003098617.tif 000003
【図２】
0003098617.tif 000004
【図３】
0003098617.tif 000005
【図４】
0003098617.tif 000006
【図５】
0003098617.tif 000007